(57)【要約】【課題】正面に窓が配置される或いは梁カットがある場合でも、照度を落とすことのない浴室用壁付照明を提供する。【解決手段】浴室用壁付照明において、照明器具本体は、直交する二つの壁面の一方に他方の壁面に近接して取設され、少なくとも光源の該他方の壁面に相対する側を覆うシェードを有し、該シェードの上記他方の壁面に相対する面が上記他方の壁面と離間する。【選択図】  図２
2007141466.tif 000002
【特許請求の範囲】
【請求項１】
浴室用壁付照明において、
照明器具本体は、直交する二つの壁面の一方に他方の壁面に近接して取設され、
少なくとも光源の該他方の壁面に相対する側を覆うシェードを有し、
該シェードの上記他方の壁面に相対する面が上記他方の壁面と離間することを特徴とする浴室用壁付照明。
【請求項２】
前記光源から該光源が取設される壁面までの距離は、該光源から前記他方の壁面までの距離より短いことを特徴とする請求項１記載の浴室用壁付照明。
【請求項３】
前記シェードは、透過性及び意匠性の異なる二重のシェードを有する二重構造に形成されたことを特徴とする請求項１記載の浴室用壁付照明。
【請求項４】
前記シェードは、上部及び下部が梨地に、中間部が乳白色に形成されたことを特徴とする請求項１記載の浴室用壁付照明。
【発明の詳細な説明】
【技術分野】
【０００１】
本発明は、浴室用壁付照明に関する。
【背景技術】
【０００２】
浴室の照明は、比較的高級なユニットバスでは、成形天井に照明器具を埋め込んで間接照明にし、間接照明による照度低下を補うためにダウンライトを追加するものもあるが、普及品では、通常壁面に取り付けられる。それも、水栓等が取り付く面を明るく照らし、洗体や髭剃りの際に使い勝手がよいように、鏡の上部に設けられる。この鏡は、通常浴槽の短辺側の水栓や収納パネルが取り付けられる壁面（以下、「正面」という。）に設けられるが、浴室全体の照度を上げるために、同じ壁面の浴槽上部にもう一灯設けられることが多い。
【０００３】
しかしながら、この面に窓が配置されると所望の位置に照明器具を取り付けることができない。また、この壁面上部に建築の梁が存在する場合は、壁パネル上部をカットせざるを得ず（以下、「梁カット」という。）、この場合も鏡上部に照明器具取り付けスペースを確保することができない。この状況は新築の場合でも、リフォームの場合でも変わらない。鏡上部及び浴槽上部のいずれか一方のみは取り付け可能であるとしても１灯のみでは照度が低下する。さりとて、もう１灯を正面壁に直交する側面壁上の取り付けると、２灯の位置関係が不釣合となって、意匠性を損ねてしまう。
【０００４】
このような事態を回避する方法として、照明器具を壁面中間部にではなく、直交する壁面とのコーナー部に設けるコーナー照明（例えば、特許文献１〜３参照。）とすることも考えられるが、窓がコーナー近傍に位置する場合は、それでも干渉してしまい、照明器具を取り付けることができない。
【特許文献１】実開昭６０−２６１２５号公報
【特許文献２】特開平８−１１５６０７号公報
【特許文献３】特開２００３−２６３９１９号公報
【発明の開示】
【発明が解決しようとする課題】
【０００５】
本発明は、上述した事情を考慮してなされたもので、正面に窓が配置される或いは梁カットがある場合でも、照度を落とすことのない浴室用壁付照明を提供することにある。
【課題を解決するための手段】
【０００６】
本発明に係る浴室用壁付照明は、上述した課題を解決するために、請求項１に記載したように、浴室用壁付照明において、照明器具本体は、直交する二つの壁面の一方に他方の壁面に近接して取設され、少なくとも光源の該他方の壁面に相対する側を覆うシェードを有し、該シェードの上記他方の壁面に相対する面が上記他方の壁面と離間するものである。
【０００７】
好適には、前記光源から該光源が取設される壁面までの距離は、請求項２に記載したように、該光源から前記他方の壁面までの距離より短くすることが望ましい。
【０００８】
また、前記シェードは、好適には、請求項３に記載したように、透過性及び意匠性の異なる二重のシェードを有する二重構造に形成してもよいし、或いは、請求項４に記載したように、上部及び下部が梨地に、中間部が乳白色に形成してもよい。
【発明の効果】
【０００９】
本発明に係る浴室壁付照明によれば、正面に窓が配置される或いは梁カットがある場合でも、照度を落とすことなく浴室用壁付照明を取り付けることができる。
【発明を実施するための最良の形態】
【００１０】
本発明に係る浴室用壁付照明の実施の形態について、添付図面を参照して説明する。図１は、本実施形態に係る浴室用壁付照明を備える浴室の概要を示す斜視図である。
【００１１】
この浴室１は、洗い場２及び浴槽３が、四周に立設された壁パネル４及び図示しない出入り口により囲繞される。
【００１２】
壁パネル４は、浴槽３の長辺３ａに沿って立設される浴槽側壁パネル４ａと、これに直交する正面側壁パネル４ｂ及び背面側壁パネル４ｃ、並びに浴槽側壁パネル４ａに対向する洗い場側壁パネル４ｄとから構成される。
【００１３】
このうち、正面側壁パネル４ｂには、浴槽３の短辺３ｂ側上部に、短辺３ｂと略同じ幅を有する窓６が設けられる。窓６の四周には窓枠６ａが壁面から突出し、その縦方向の窓枠の一方は、浴槽側壁パネル４ａと正面側壁パネル４ｂとの交差部近傍に位置する。
【００１４】
一方、正面側壁パネル４ｂの洗い場２側の上部には鏡７が取り付けられる。また、正面側壁パネル４ｂには、水栓（図示せず）が取り付けられるカウンタ５が、浴槽３頂部と略同じ高さで、その全幅に亘って突設される。
【００１５】
そして、浴槽側壁パネル４ａと正面側壁パネル４ｂとの交差部近傍には本発明に係る浴室用壁付照明１０Ａが、また、洗い場側壁パネル４ｄと正面側壁パネル４ｂとの交差部近傍には、同じく浴室用壁付照明１０Ｂが取設される。これら浴室用壁付照明１０Ａ，１０Ｂは、一見コーナー照明のように見え、壁パネル中間部に突出する部材がないので、圧迫感を与えない。
【００１６】
しかしながら、浴室用壁付照明１０Ａは、図２に示すように、光源たる電球１２が先端に取り付けられた照明器具本体１１が浴槽側壁パネル４ａに取り付けられる。浴室用壁付照明１０Ｂの照明器具本体１１も同様に、洗い場側壁パネル４ｄに取り付けられる。
【００１７】
浴室用壁付照明１０Ａ，１０Ｂは、照明器具本体１１をシェード１３で覆った防湿型になっている。そして、浴室用壁付照明１０Ａのシェ−ド１３の正面側壁パネル４ｂに相対する面は、正面側壁パネル４ｂから、窓６の窓枠６ａが正面側壁パネル４ｂよりの突出量よりも若干大きな距離Ｄを離間して取り付けられる。浴室用壁付照明１０Ｂも、均衡上同じ距離Ｄを離間して取り付けられる。
【００１８】
このように、正面側壁パネル４ｂに窓等の突出物があってもシェード１３が干渉しないので、コーナー照明のように取り付けが不可能になることはない。したがって、正面側壁パネル４ｂに窓が配置されていても、少なくとも一方の照明器具を取り付けることができず、照度を落とすということがない。また、一対の照明が左右対称に取り付けられてバランスもよく、意匠性を損なうこともない。
【００１９】
浴室用壁付照明１０Ａが窓６に相対する面は、同図に示すように、シェード１３に覆われているので、電球１２からの光が直接窓ガラスに当たらず、したがって、その反射光が入浴者の目に入って眩しく感じさせることはない。
【００２０】
他方、浴室用壁付照明１０Ｂが正面側壁パネル４ｂに相対する面も同様に、シェード１３に覆われているが、図示はしないが、浴室用壁付照明１０Ａの場合と異なり、電球１２から放射される直接光に加えて、電球１２から正面側壁パネル４ｂの方向へ放射され正面側壁パネル４ｂから反射された間接光も水栓等が取り付く面を明るく照らすことになり、手元が明るく洗体・髭剃りの際の使い勝手がよくなる。
【００２１】
特に、電球１２の中心と浴槽側壁パネル４ａとの距離Ｌ１が、電球１２の中心と正面側壁パネル４ｂとの距離Ｌ２より短く設定されると、この効果は更に増大する。
【００２２】
シェード１３は、本実施形態では、外側シェード１３ａと内側シェード１３ｂとの二重構造に形成されている。したがって、透過性や意匠（色・柄・形状等）の異なる二重のシェードを有するので、浴室内の身体洗浄時・入浴時に目に眩しくなく、手元を明るく照らすことが可能である。特に、内側シェード１３ｂの透過性を外側シェード１３ａのそれより低くすることにより、光源が直接入浴者の目に入らないように配慮することができる。
【００２３】
そして、内側シェード１３ｂの色・柄・形状・大きさ・配置等を変えることにより、様々な意匠を演出することができ、光を制御することができる。
【００２４】
また、内側シェード１３ｂと外側シェード１３ａ間に距離を設けることにより、又は内側シェード１３ｂの角にＲを設けることにより、特殊な後加工を施すことなく、内側シェード１３ｂと外側シェード１３ａ間にできる繋ぎ目を消すことができ、入浴者に対し、柔らかな光を供給することが可能となる。
【００２５】
さらに、二重構造のシェードを有するので、防水性・清掃性も通常のものより高く保つことができる。特に、内側シェード１３ｂを凹凸のある意匠としても、外側シェード１３ａの凹凸を少なくすれば、清掃も容易に行える。
【００２６】
透過性や意匠（色・柄・形状等）の異なるシェードを一体で作るので、凝ったデザインを施すことなく、安価に意匠性に劣らない浴室用壁付照明を得ることができる。
【００２７】
なお、シェ−ド１３は、このような二重構造でなくとも、例えば図３に示すように、シェード１３の上下部分を梨地部１３ｃとし、中間部分を乳白色部１３ｄとすることもできる。これによっても、浴槽３に入って入浴する際に直接光源が目に入らず眩しくない。また、照度の低下を来すこともない。
【００２８】
図４は、浴室用壁付照明１０を、正面側壁パネル４ｂ上部が下り天井８になっている浴室１に採用した場合の例を示すものである。この場合、通常の浴室用壁付照明であれば、鏡７上に照明器具を取り付けるスペースがなくなり、最悪、２灯取り付けることができず、浴槽３側の１灯のみとなって照度不足となることもある。
【００２９】
しかしながら、本発明に係る浴室用壁付照明１０であれば、鏡７上に取り付けスペースを必要としないので、２灯取り付けが可能となり、照度不足となることもない。
【００３０】
この場合、上述の例と異なり、正面側壁パネルから窓枠６ａが突出しないので、図５に示すように、正面側壁パネル４ｂとこれに相対する側のシェード１３とも距離Ｄを小さくすることもできる。
【００３１】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００３２】
【図１】本発明の一実施形態に係る浴室用壁付照明を備える浴室の概要を示す斜視図。
【図２】（ａ）は本実施形態に係る浴室用壁付照明の横断面図、（ｂ）は同縦断面図。
【図３】本発明に係る浴室用壁付照明の変形例を示す縦断面図。
【図４】本実施形態に係る浴室用壁付照明を備える他の浴室例の概要を示す斜視図。
【図５】図４における浴室用壁付照明の横断面図。
【符号の説明】
【００３３】
１  浴室
２  洗い場
３  浴槽
３ａ  長辺
３ｂ  短辺
４  壁パネル
４ａ  浴槽側壁パネル
４ｂ  正面側壁パネル
４ｃ  背面側壁パネル
４ｄ  洗い場側壁パネル
５  カウンタ
６  窓
６ａ  窓枠
７  鏡
８  下り天井
１０Ａ，１０Ｂ  浴室用壁付照明
１１  照明器具本体
１２  電球
１３  シェード
１３ａ  外側シェード
１３ｂ  内側シェード
１３ｃ  梨地部
１３ｄ  乳白色部
【図１】
2007141466.tif 000003
【図２】
2007141466.tif 000004
【図３】
2007141466.tif 000005
【図４】
2007141466.tif 000006
【図５】
2007141466.tif 000007